(57)【要約】 【課題】  電話機あるいはファクシミリ装置とターミナル装置とを接続するための部屋間をまたがるケーブルをケーブル１本にすることができる接続装置を提供する。【解決手段】  モジュラージャック１１の６つの端子のうちの２つの端子、つまり端子１１ｃおよび端子１１ｄが、モジュラージャック１２の６つの端子のうちの２つの端子、つまり端子１２ｄおよび１２ｃにそれぞれ電気の導体たとえば導線で接続される。さらにモジュラージャック１３の６つの端子のうちの４つの端子、つまり端子１３ａ、端子１３ｂ、端子１３ｅ、および端子１３ｆが、モジュラージャック１２の６つの端子のうちの４つの端子、つまり端子１２ａ、端子１２ｂ、端子１２ｅ、および端子１２ｆにそれぞれ導線で接続される。【選択図】      図２
2007194145.tif 000002
【特許請求の範囲】
【請求項１】
６つの端子をそれぞれ有する第１の接続部、第２の接続部、および第３の接続部と、それらの接続部を把持する筐体とを含み、
第１の接続部の６つの端子のうちの２つの端子と第２の接続部の６つの端子のうちの２つの端子とがそれぞれ電気の導体によって接続され、かつ第２の接続部の残りの４つの端子と第３の接続部の６つの端子のうちの４つの端子とがそれぞれ電気の導体によって接続されることを特徴とする接続装置。
【請求項２】
前記第１の接続部、前記第２の接続部、および前記第３の接続部に含まれる６つの端子はいずれも直列に配列され、前記第１の接続部の６つの端子のうちの２つの端子および前記第２の接続部の６つの端子のうちの２つの端子は、いずれも直列に並んだ６つの端子のうちの中央の２つの端子であり、前記第２の接続部の残りの４つの端子および前記第３の接続部の６つの端子のうちの４つの端子は、６つの端子のうちの中央の２つの端子を除く４つの端子であることを特徴とする請求項１に記載の接続装置。
【請求項３】
前記第１の接続部、前記第２の接続部、および前記第３の接続部は、ＲＪ−１１の６極モジュラージャックであることを特徴とする請求項１または２に記載の接続装置。
【請求項４】
６つの端子をそれぞれ有する第１の接続部および第２の接続部と、６つの端子を有する第３の接続部および第３の接続部の６つの端子のそれぞれと一端で接続される６つの芯線を含むケーブルと、第１の接続部、第２の接続部、およびケーブルを把持する筐体とを含み、
第１の接続部の６つの端子のうちの２つの端子と第２の接続部の６つの端子のうちの２つの端子とがそれぞれ電気の導体によって接続され、かつ第２の接続部の残りの４つの端子と、ケーブルの６つの芯線のうちの４つの芯線の他端とがそれぞれ接続されることを特徴とする接続装置。
【請求項５】
６つの端子を有する第１の接続部と、６つの端子を有する第２の接続部および第２の接続部の６つの端子のそれぞれと一端で接続される６つの芯線を含む第１のケーブルと、６つの端子を有する第３の接続部および第３の接続部の６つの端子のそれぞれと一端で接続される６つの芯線を含む第２のケーブルと、第１の接続部、第１のケーブル、および第２のケーブルを把持する筐体とを含み、
第１の接続部の６つの端子のうちの２つの端子と、第１のケーブルの６つの芯線のうちの２つの芯線とがそれぞれ第１のケーブルの他端で接続され、かつ第１のケーブルの６つの芯線のうちの残りの４つの芯線の他端と、第２のケーブルの６つの芯線のうちの４つの芯線の他端とがそれぞれ接続されることを特徴とする接続装置。
【請求項６】
８つの端子をそれぞれ有する第１の接続部、第２の接続部、および第３の接続部と、それらの接続部を把持する筐体とを含み、
第１の接続部の８つの端子のうちの２つの端子と第２の接続部の８つの端子のうちの２つの端子とがそれぞれ電気の導体によって接続され、かつ第２の接続部の残りの６つの端子と第３の接続部の８つの端子のうちの６つの端子とがそれぞれ電気の導体によって接続されることを特徴とする接続装置。
【請求項７】
前記第１の接続部、前記第２の接続部、および前記第３の接続部に含まれる８つの端子はいずれも直列に配列され、前記第１の接続部の８つの端子のうちの２つの端子および前記第２の接続部の８つの端子のうちの２つの端子は、いずれも直列に並んだ８つの端子のうちの中央の２つの端子であり、前記第２の接続部の残りの６つの端子および前記第３の接続部の８つの端子のうちの６つの端子は、８つの端子のうちの中央の２つの端子を除く６つの端子であることを特徴とする請求項６に記載の接続装置。
【請求項８】
前記第１の接続部、前記第２の接続部、および前記第３の接続部は、ＲＪ−４５の８極モジュラージャックであることを特徴とする請求項６または７に記載の接続装置。
【請求項９】
８つの端子をそれぞれ有する第１の接続部および第２の接続部と、８つの端子を有する第３の接続部および第３の接続部の８つの端子のそれぞれと一端で接続される８つの芯線を含むケーブルと、第１の接続部、第２の接続部、およびケーブルを把持する筐体とを含み、
第１の接続部の８つの端子のうちの２つの端子と第２の接続部の８つの端子のうちの２つの端子とがそれぞれ電気の導体によって接続され、かつ第２の接続部の残りの６つの端子と、ケーブルの８つの芯線のうちの６つの芯線の他端とがそれぞれ接続されることを特徴とする接続装置。
【請求項１０】
８つの端子を有する第１の接続部と、８つの端子を有する第２の接続部および第２の接続部の８つの端子のそれぞれと一端で接続される８つの芯線を含む第１のケーブルと、８つの端子を有する第３の接続部および第３の接続部の８つの端子のそれぞれと一端で接続される８つの芯線を含む第２のケーブルと、第１の接続部、第１のケーブル、および第２のケーブルを把持する筐体とを含み、
第１の接続部の８つの端子のうちの２つの端子と、第１のケーブルの８つの芯線のうちの２つの芯線とがそれぞれ第１のケーブルの他端で接続され、かつ第１のケーブルの８つの芯線のうちの残りの６つの芯線の他端と、第２のケーブルの８つの芯線のうちの６つの芯線の他端とがそれぞれ接続されることを特徴とする接続装置。
【発明の詳細な説明】
【技術分野】
【０００１】
本発明は、異なる種類の回線を接続するための接続装置に関する。
【背景技術】
【０００２】
図７は、電話機８１とＴＶ（Television）ドアホン８２との第１の従来の技術による接続構成を示す。図７（ａ）は、ターミナルＢＯＸ８３とＴＶドアホン親機８４とが分離した形態での接続構成である。
【０００３】
電話機８１は、電話回線に接続される電話機あるいはファクシミリ装置であり、一般家庭では、たとえばリビングに設置される。玄関などの室外に設置されるＴＶドアホン８２は、台所などに設置されるＴＶドアホン親機８４と通話するための通話装置である。ターミナルＢＯＸ８３は、電話機８１とＴＶドアホン８２との通話を可能にするための装置である。
【０００４】
電話機８１は、接続ケーブル９１によってターミナルＢＯＸ８３と接続され、ターミナルＢＯＸ８３は、接続ケーブル９２によって電話回線のモジュラージャック８５と接続される。すなわち、電話機８１は、ターミナルＢＯＸ８３を介して外線の電話と通話することができる。ＴＶドアホン８２は、接続ケーブル９３によってＴＶドアホン親機８４と接続され、ＴＶドアホン親機８４は、接続ケーブル９４によってターミナルＢＯＸ８３と接続される。したがって、接続ケーブル９１によってターミナルＢＯＸ８３に接続される電話機８１は、ターミナルＢＯＸ８３およびＴＶドアホン親機８４を介して、ＴＶドアホン８２と通話することができる。
【０００５】
接続ケーブル９１および接続ケーブル９２は、６芯のモジュラーコードであり、いずれも、接続ケーブルの両端に６極モジュラープラグ、たとえばＲＪ−１１のモジュラージャックに着脱可能なモジュラープラグを有する。接続ケーブル９１は、電話回線用に２芯、およびＴＶドアホン用の２芯を２組、合計６芯を用いている。接続ケーブル９２は、電話回線と接続するためのものであり、６芯のうち２芯を用いている。図７（ａ）に示したターミナルＢＯＸ８３には、ＴＶドアホン８２が１台のみ接続されているが、他に１組のＴＶドアホンおよびＴＶドアホン親機を接続することができる。
【０００６】
接続ケーブル９３および接続ケーブル９４は、いずれも２本の導線からなるケーブルであり、ＴＶドアホン８２、ターミナルＢＯＸ８３、およびＴＶドアホン親機８４には、ネジ止めで接続される。ターミナルＢＯＸ８３とＴＶドアホン親機８４とを接続する接続ケーブル９４は２本の導線から構成されるので、引き回しに適していない。ターミナルＢＯＸ８３は、ＴＶドアホン親機８４との接続が引き回しに適していないという理由によって、あるいは見苦しくなるのでターミナルＢＯＸ８３をリビングに設置したくないという理由によって、ＴＶドアホン親機８４に隣接するように、台所などに設置されることが多い。
【０００７】
図７（ｂ）は、図７（ａ）に示したターミナルＢＯＸ８３とＴＶドアホン親機８４とを一体化したターミナルＢＯＸ一体型ドアホン親機８６の接続構成である。ターミナルＢＯＸ一体型ドアホン親機８６は、ＴＶドアホン８２とは接続ケーブル９３によって接続され、モジュラージャック８５とは接続ケーブル９２によって接続され、さらに電話機８１とは接続ケーブル９１によって接続される。ターミナルＢＯＸ８３とＴＶドアホン親機８４とが一体化されているので、図７（ａ）に示した接続ケーブル９４が不要になる。
【０００８】
第２の従来の技術として、ケーブルの芯線の一部を分岐させた接続コードがある。この接続コードは、宅内に設置されたモジュラージャックに対応するモジュラープラグを両端にもつケーブルで、芯線の一部が途中で切断され、切断された部分の芯線に新たにモジュラープラグを設けたものである。新たに設けられたモジュラープラグに、付加装置、たとえば線制御装置アダプタ、発信者番号表示アダプタ、あるいはＩＳＤＮ（Integrated
Services Digital Network）対応機器などを接続することができる（たとえば特許文献１参照）。
【０００９】
【特許文献１】実用新案第３０６０５０１号公報
【発明の開示】
【発明が解決しようとする課題】
【００１０】
電話回線のモジュラージャック８５は、電話機８１を設置する場所の近くに設けられていることが多く、電話機８１を直接モジュラージャック８５に接続する場合、接続距離は短く、しかも１本の接続ケーブルのみで接続することができる。
【００１１】
しかしながら、電話機８１によってＴＶドアホン８２と通話するためには、図７に示した第１の従来の技術のように、リビングにある電話機８１を、接続ケーブル９１によって、台所に設置されているターミナルＢＯＸ８３あるいはターミナルＢＯＸ一体型ドアホン親機８６（以下ターミナルＢＯＸ８３およびターミナルＢＯＸ一体型ドアホン親機８６を総称してターミナル装置という）に接続し、さらにターミナル装置を、接続ケーブル９２によって、リビングに設けられているモジュラージャック８５に接続する必要がある。すなわち部屋をまたがる２本の長いケーブルを接続する必要があるという問題がある。
【００１２】
第２の従来の技術は、モジュラージャックと電話機との接続はそのままにして、モジュラージャックと電話機との間に新たな付加装置を接続することができる。しかしながら、付加装置が、たとえば別の部屋に設置されるターミナル装置である場合、分岐した長い２本のケーブルをターミナル装置に接続する必要があるという問題がある。
【００１３】
本発明の目的は、電話機あるいはファクシミリ装置とターミナル装置とを接続するための部屋間をまたがるケーブルをケーブル１本にすることができる接続装置を提供することである。
【課題を解決するための手段】
【００１４】
本発明は、６つの端子をそれぞれ有する第１の接続部、第２の接続部、および第３の接続部と、それらの接続部を把持する筐体とを含み、
第１の接続部の６つの端子のうちの２つの端子と第２の接続部の６つの端子のうちの２つの端子とがそれぞれ電気の導体によって接続され、かつ第２の接続部の残りの４つの端子と第３の接続部の６つの端子のうちの４つの端子とがそれぞれ電気の導体によって接続されることを特徴とする接続装置である。
【００１５】
本発明に従えば、筐体によって、６つの端子をそれぞれ有する第１の接続部、第２の接続部、および第３の接続部が把持され、第１の接続部の６つの端子のうちの２つの端子が、第２の接続部の６つの端子のうちの２つの端子にそれぞれ電気の導体で接続され、さらに第２の接続部の６つの端子のうちの残りの４つの端子が、第３の接続部の６つの端子のうちの４つの端子にそれぞれ電気の導体で接続されるので、電話回線を第１の接続部に接続し、電話機を第２の接続部に接続し、さらにターミナル装置を第３の接続部に接続すれば、ターミナル装置を経由しないで、電話回線を電話機に接続することができる。すなわち、接続装置を電話機のそばに設置すれば、部屋間での電話回線の往復をなくすことができ、部屋間をまたがるケーブルを、電話機あるいはファクシミリ装置とターミナル装置とを接続するための６芯のケーブル１本にすることができる。
【００１６】
また本発明は、前記第１の接続部、前記第２の接続部、および前記第３の接続部に含まれる６つの端子はいずれも直列に配列され、前記第１の接続部の６つの端子のうちの２つの端子および前記第２の接続部の６つの端子のうちの２つの端子は、いずれも直列に並んだ６つの端子のうちの中央の２つの端子であり、前記第２の接続部の残りの４つの端子および前記第３の接続部の６つの端子のうちの４つの端子は、６つの端子のうちの中央の２つの端子を除く４つの端子であることを特徴とする。
【００１７】
本発明に従えば、第１の接続部の６つの端子のうちの中央の２つの端子と、第２の接続部の６つの端子のうちの中央の２つの端子とを接続し、第２の接続部の６つの端子のうちの中央の２つを除く４つの端子と、第３の接続部の６つの端子のうちの中央の２つを除く４つの端子とを接続するので、電話用の端子の位置とドアホン用の端子の位置を分けることができる。
【００１８】
また本発明は、前記第１の接続部、前記第２の接続部、および前記第３の接続部は、ＲＪ−１１の６極モジュラージャックであることを特徴とする。
【００１９】
本発明に従えば、モジュラージャックがＲＪ−１１の６極モジュラージャックであるので、汎用の６芯のケーブルによって接続することができる。
【００２０】
また本発明は、６つの端子をそれぞれ有する第１の接続部および第２の接続部と、６つの端子を有する第３の接続部および第３の接続部の６つの端子のそれぞれと一端で接続される６つの芯線を含むケーブルと、第１の接続部、第２の接続部、およびケーブルを把持する筐体とを含み、
第１の接続部の６つの端子のうちの２つの端子と第２の接続部の６つの端子のうちの２つの端子とがそれぞれ電気の導体によって接続され、かつ第２の接続部の残りの４つの端子と、ケーブルの６つの芯線のうちの４つの芯線の他端とがそれぞれ接続されることを特徴とする接続装置である。
【００２１】
本発明に従えば、筐体によって、６つの端子をそれぞれ有する第１の接続部および第２の接続部と、第３の接続部の６つの端子が一端で６つの芯線にそれぞれ接続されたケーブルとが把持され、第１の接続部の６つの端子のうちの２つの端子が、第２の接続部の６つの端子のうちの２つの端子にそれぞれ電気の導体によって接続され、かつ第２の接続部の残りの４つの端子が、６つの端子を有する第３の接続部を一端に有するケーブルの６つの芯線のうちの４つの芯線の他端にそれぞれ接続されるので、電話回線を第１の接続部に接続し、電話機を第２の接続部に接続し、さらにターミナル装置を第３の接続部に接続すれば、ターミナル装置を経由しないで、電話回線を電話機に接続することができる。
【００２２】
すなわち、接続装置の筐体を電話機のそばに設置すれば、部屋間での電話回線の往復をなくすことができ、部屋間をまたがるケーブルを、電話機あるいはファクシミリ装置とターミナル装置とを接続するための６芯のケーブル１本にすることができる。
【００２３】
また本発明は、６つの端子を有する第１の接続部と、６つの端子を有する第２の接続部および第２の接続部の６つの端子のそれぞれと一端で接続される６つの芯線を含む第１のケーブルと、６つの端子を有する第３の接続部および第３の接続部の６つの端子のそれぞれと一端で接続される６つの芯線を含む第２のケーブルと、第１の接続部、第１のケーブル、および第２のケーブルを把持する筐体とを含み、
第１の接続部の６つの端子のうちの２つの端子と、第１のケーブルの６つの芯線のうちの２つの芯線とがそれぞれ第１のケーブルの他端で接続され、かつ第１のケーブルの６つの芯線のうちの残りの４つの芯線の他端と、第２のケーブルの６つの芯線のうちの４つの芯線の他端とがそれぞれ接続されることを特徴とする接続装置である。
【００２４】
本発明に従えば、筐体によって、６つの端子を有する第１の接続部と、第２の接続部の６つの端子が一端で６つの芯線にそれぞれ接続された第１ケーブルと、第３の接続部の６つの端子が一端で６つの芯線にそれぞれ接続された第２のケーブルとが把持され、第１の接続部の６つの端子のうちの２つの端子が、６つの端子を有する第２の接続部を一端に有する第１のケーブルの６つの芯線のうちの２つの芯線の他端にそれぞれ接続され、第１のケーブルの６つの芯線のうちの残りの４つの芯線が、６つの端子を有する第３の接続部を一端に有する第２のケーブルの６つの芯線のうちの４つの芯線の他端にそれぞれ接続されるので、電話回線を第１の接続部に接続し、電話機を第２の接続部に接続し、さらにターミナル装置を第３の接続部に接続すれば、ターミナル装置を経由しないで、電話回線を電話機に接続することができる。すなわち、接続装置の筐体を電話機のそばに設置すれば、部屋間での電話回線の往復をなくすことができ、部屋間をまたがるケーブルを、電話機あるいはファクシミリ装置とターミナル装置とを接続するための６芯のケーブル１本にすることができる。
【００２５】
また本発明は、８つの端子をそれぞれ有する第１の接続部、第２の接続部、および第３の接続部と、それらの接続部を把持する筐体とを含み、
第１の接続部の８つの端子のうちの２つの端子と第２の接続部の８つの端子のうちの２つの端子とがそれぞれ電気の導体によって接続され、かつ第２の接続部の残りの６つの端子と第３の接続部の８つの端子のうちの６つの端子とがそれぞれ電気の導体によって接続されることを特徴とする接続装置である。
【００２６】
本発明に従えば、筐体によって、８つの端子をそれぞれ有する第１の接続部、第２の接続部、および第３の接続部が把持され、第１の接続部の８つの端子のうちの２つの端子が、第２の接続部の８つの端子のうちの２つの端子にそれぞれ電気の導体で接続され、さらに第２の接続部の８つの端子のうちの残りの６つの端子が、第３の接続部の８つの端子のうちの６つの端子にそれぞれ導線で接続されるので、電話回線を第１の接続部に接続し、電話機を第２の接続部に接続し、さらにターミナル装置を第３の接続部に接続すれば、ターミナル装置を経由しないで、電話回線を電話機に接続することができる。すなわち、接続装置を電話機のそばに設置すれば、部屋間での電話回線の往復をなくすことができ、部屋間をまたがるケーブルを、電話機あるいはファクシミリ装置とターミナル装置とを接続するための８芯のケーブル１本にすることができる。
【００２７】
また本発明は、前記第１の接続部、前記第２の接続部、および前記第３の接続部に含まれる８つの端子はいずれも直列に配列され、前記第１の接続部の８つの端子のうちの２つの端子および前記第２の接続部の８つの端子のうちの２つの端子は、いずれも直列に並んだ８つの端子のうちの中央の２つの端子であり、前記第２の接続部の残りの６つの端子および前記第３の接続部の８つの端子のうちの６つの端子は、８つの端子のうちの中央の２つの端子を除く６つの端子であることを特徴とする。
【００２８】
本発明に従えば、第１の接続部の８つの端子のうちの中央の２つの端子と、第２の接続部の８つの端子のうちの中央の２つの端子とを接続し、第２の接続部の８つの端子のうちの中央の２つを除く６つの端子と、第３の接続部の８つの端子のうちの中央の２つを除く６つの端子とを接続するので、電話用の端子の位置とドアホン用の端子の位置を分けることができる。
【００２９】
また本発明は、前記第１の接続部、前記第２の接続部、および前記第３の接続部は、ＲＪ−４５の８極モジュラージャックであることを特徴とする。
【００３０】
本発明に従えば、モジュラージャックがＲＪ−４５の８極モジュラージャックであるので、汎用の８芯のケーブルによって接続することができる。
【００３１】
また本発明は、８つの端子をそれぞれ有する第１の接続部および第２の接続部と、８つの端子を有する第３の接続部および第３の接続部の８つの端子のそれぞれと一端で接続される８つの芯線を含むケーブルと、第１の接続部、第２の接続部、およびケーブルを把持する筐体とを含み、
第１の接続部の８つの端子のうちの２つの端子と第２の接続部の８つの端子のうちの２つの端子とがそれぞれ電気の導体によって接続され、かつ第２の接続部の残りの６つの端子と、ケーブルの８つの芯線のうちの６つの芯線の他端とがそれぞれ接続されることを特徴とする接続装置である。
【００３２】
本発明に従えば、筐体によって、８つの端子をそれぞれ有する第１の接続部および第２の接続部と、第３の接続部の８つの端子が一端で８つの芯線にそれぞれ接続されたケーブルとが把持され、第１の接続部の８つの端子のうちの２つの端子が、第２の接続部の８つの端子のうちの２つの端子にそれぞれ電気の導体によって接続され、かつ第２の接続部の残りの６つの端子が、８つの端子を有する第３の接続部を一端に有するケーブルの８つの芯線のうちの６つの芯線の他端にそれぞれ接続されるので、電話回線を第１の接続部に接続し、電話機を第２の接続部に接続し、さらにターミナル装置を第３の接続部に接続すれば、ターミナル装置を経由しないで、電話回線を電話機に接続することができる。
【００３３】
すなわち、接続装置の筐体を電話機のそばに設置すれば、部屋間での電話回線の往復をなくすことができ、部屋間をまたがるケーブルを、電話機あるいはファクシミリ装置とターミナル装置とを接続するための８芯のケーブル１本にすることができる。
【００３４】
また本発明は、８つの端子を有する第１の接続部と、８つの端子を有する第２の接続部および第２の接続部の８つの端子のそれぞれと一端で接続される８つの芯線を含む第１のケーブルと、８つの端子を有する第３の接続部および第３の接続部の８つの端子のそれぞれと一端で接続される８つの芯線を含む第２のケーブルと、第１の接続部、第１のケーブル、および第２のケーブルを把持する筐体とを含み、
第１の接続部の８つの端子のうちの２つの端子と、第１のケーブルの８つの芯線のうちの２つの芯線とがそれぞれ第１のケーブルの他端で接続され、かつ第１のケーブルの８つの芯線のうちの残りの６つの芯線の他端と、第２のケーブルの８つの芯線のうちの６つの芯線の他端とがそれぞれ接続されることを特徴とする接続装置である。
【００３５】
本発明に従えば、筐体によって、８つの端子を有する第１の接続部と、第２の接続部の８つの端子が一端で８つの芯線にそれぞれ接続された第１ケーブルと、第３の接続部の８つの端子が一端で８つの芯線にそれぞれ接続された第２のケーブルとが把持され、第１の接続部の８つの端子のうちの２つの端子が、８つの端子を有する第２の接続部を一端に有する第１のケーブルの８つの芯線のうちの２つの芯線の他端にそれぞれ接続され、第１のケーブルの８つの芯線のうちの残りの６つの芯線が、８つの端子を有する第３の接続部を一端に有する第２のケーブルの８つの芯線のうちの６つの芯線の他端にそれぞれ接続されるので、電話回線を第１の接続部に接続し、電話機を第２の接続部に接続し、さらにターミナル装置を第３の接続部に接続すれば、ターミナル装置を経由しないで、電話回線を電話機に接続することができる。すなわち、接続装置の筐体を電話機のそばに設置すれば、部屋間での電話回線の往復をなくすことができ、部屋間をまたがるケーブルを、電話機あるいはファクシミリ装置とターミナル装置とを接続するための８芯のケーブル１本にすることができる。
【発明の効果】
【００３６】
本発明によれば、部屋間をまたがるケーブルを、電話機あるいはファクシミリ装置とターミナル装置とを接続するための６芯のケーブル１本にすることができるので、装置間の配線を単純化することができ、配線作業を容易にすることができる。
【００３７】
また本発明によれば、電話用の端子の位置とドアホン用の端子の位置を分けることができるので、モジュラープラグを対応するモジュラージャックでないモジュラージャックに挿入しても電話用の信号とドアホン用の信号とが接続されることを防止することができる。
【００３８】
また本発明によれば、汎用の６芯のケーブルによって接続することができるので、安価なケーブルを使用ことができ、コストを低減することができる。
【００３９】
また本発明によれば、部屋間をまたがるケーブルを、電話機あるいはファクシミリ装置とターミナル装置とを接続するための６芯のケーブル１本にすることができるので、装置間の配線を単純化することができ、配線作業を容易にすることができる。さらに、一端に第３の接続部を有するケーブルを含むので、ユーザは接続装置とターミナル装置とを接続するためのケーブルを用意しなくてもよい。
【００４０】
また本発明によれば、部屋間をまたがるケーブルを、電話機あるいはファクシミリ装置とターミナル装置とを接続するための６芯のケーブル１本にすることができるので、装置間の配線を単純化することができ、配線作業を容易にすることができる。さらに、一端に第２の接続部を有する第１のケーブルおよび一端に第３の接続部を有する第２のケーブルを含むので、ユーザは、接続装置と電話機あるいはファクシミリ装置とを接続するためのケーブルおよび接続装置とターミナル装置とを接続するためのケーブルを用意しなくてもよい。
【００４１】
また本発明によれば、電話機あるいはファクシミリ装置とターミナル装置とを接続するための８芯のケーブル１本にすることができるので、装置間の配線を単純化することができ、配線作業を容易にすることができる。さらに、８つの端子を有するモジュラージャックを用いるので、電話機は、ターミナル装置を介して３つの機器と通話することができ、通話することができる機器の数を、６つの端子を有するモジュラージャックを用いる場合よりも１つ増やすことができる。
【００４２】
また本発明によれば、電話用の端子の位置とドアホン用の端子の位置を分けることができるので、モジュラープラグを対応するモジュラージャックでないモジュラージャックに挿入しても電話用の信号とドアホン用の信号とが接続されることを防止することができる。
【００４３】
また本発明によれば、汎用の８芯のケーブルによって接続することができるので、安価なケーブルを使用ことができ、コストを低減することができる。
【００４４】
また本発明によれば、部屋間をまたがるケーブルを、電話機あるいはファクシミリ装置とターミナル装置とを接続するための８芯のケーブル１本にすることができるので、装置間の配線を単純化することができ、配線作業を容易にすることができる。さらに、一端に第３の接続部を有するケーブルを含むので、ユーザは接続装置とターミナル装置とを接続するためのケーブルを用意しなくてもよい。
【００４５】
また本発明によれば、部屋間をまたがるケーブルを、電話機あるいはファクシミリ装置とターミナル装置とを接続するための８芯のケーブル１本にすることができるので、装置間の配線を単純化することができ、配線作業を容易にすることができる。さらに、一端に第２の接続部を有する第１のケーブルおよび一端に第３の接続部を有する第２のケーブルを含むので、ユーザは、接続装置と電話機あるいはファクシミリ装置とを接続するためのケーブルおよび接続装置とターミナル装置とを接続するためのケーブルを用意しなくてもよい。
【発明を実施するための最良の形態】
【００４６】
図１は、本発明の実施の一形態であるスプリッタ装置１に係る接続構成の一例を示す。スプリッタ装置１は、電話機２、ターミナルＢＯＸ一体型ドアホン親機３、およびモジュラージャック４を、それぞれ接続ケーブル２２、接続ケーブル２３、および接続ケーブル２１によって接続する接続装置である。
【００４７】
電話機２は、電話回線たとえばＰＳＴＮ（Public Switched Telephone Networks：公衆交換電話網）回線に接続される電話機であり、リビングなどに設置される。電話機２は、ファクシミリ装置でもよく、以下ファクシミリ装置を含めて電話機という。
【００４８】
ターミナルＢＯＸ一体型ドアホン親機３は、台所などに設置され、ターミナルＢＯＸ一体型ドアホン親機３とドアホン、たとえばＴＶドアホン５との通話、および電話機２とＴＶドアホン５との通話を可能にするためのターミナル装置である。ターミナルＢＯＸ一体型ドアホン親機３は、液晶ディスプレイなどの表示装置を含み、ＴＶドアホン５から送信された画像を表示する。
【００４９】
モジュラージャック４は、リビングなどに設けられる電話回線のモジュラージャックであり、たとえばＲＪ−１１などの６極モジュラージャックである。
【００５０】
ＴＶドアホン５は、玄関などの室外に設置されるテレビカメラ付きのドアホンであり、テレビカメラによって撮影された訪問者の画像および入力された音情報を、ターミナルＢＯＸ一体型ドアホン親機３に送信するとともに、ターミナルＢＯＸ一体型ドアホン親機３から受信した音情報を出力する。図１には、ＴＶドアホン５を示したが、ターミナルＢＯＸ一体型ドアホン親機３に接続されるドアホンは、音声ドアホンなど他の機器であってもよい。ＴＶドアホン５とターミナルＢＯＸ一体型ドアホン親機３とは、接続ケーブル３１によって接続される。接続ケーブル３１は、たとえば２本の導線からなるケーブルであり、ＴＶドアホン５およびターミナルＢＯＸ一体型ドアホン親機３にはネジ止めで接続される。
【００５１】
接続ケーブル２１は、２芯、もしくは６芯のケーブルであり、接続ケーブル２２および接続ケーブル２３は、６芯のケーブルであり、モジュラージャックに着脱可能な６極モジュラープラグがそれぞれのケーブルの両端に取り付けられている。接続ケーブ２１は、２つの芯線、もしくは６つの芯線のうち２つの芯線を電話回線用に用いている。接続ケーブル２２は、電話回線用の２つの芯線、および２つのドアホン用の４つの芯線、合計６つの芯線を用いている。接続ケーブル２３は、２つのドアホン用に４つの芯線を用いている。
【００５２】
電話機２は、ＴＶドアホン５とは、スプリッタ装置１およびターミナルＢＯＸ一体型ドアホン親機３を介して通話するが、外線の電話機とは、ターミナルＢＯＸ一体型ドアホン親機３を介さずに、スプリッタ装置１を経由するのみで通話することができる。
【００５３】
図２は、図１に示したスプリッタ装置１の内部の配線を示す。スプリッタ装置１は、３つのモジュラージャック１１〜モジュラージャック１３を含む。各モジュラージャックは、６極モジュラージャックつまり６つの端子を有するモジュラージャックであり、たとえばＲＪ−１１のモジュラージャックである。６つの端子は、直列に配列されている。
【００５４】
モジュラージャック１１の６つの端子のうちの中央の２つの端子、つまり端子１１ｃおよび端子１１ｄが、モジュラージャック１２の６つの端子のうちの中央の２つの端子、つまり端子１２ｄおよび１２ｃにそれぞれ電気の導体、たとえば導線で接続される。
【００５５】
さらにモジュラージャック１３の６つの端子のうちの中央の２つを除く４つの端子、つまり端子１３ａ、端子１３ｂ、端子１３ｅ、および端子１３ｆが、モジュラージャック１２の６つの端子のうちの残りの４つの端子、つまり端子１２ａ、端子１２ｂ、端子１２ｅ、および端子１２ｆにそれぞれ導線で接続される。端子１３ａおよび端子１３ｆの組が、１つのＴＶドアホン用であり、端子１３ｂおよび端子１３ｅの組が、他のＴＶドアホン用である。
【００５６】
白抜きで表した端子、すなわち端子１１ａ、端子１１ｂ、端子１１ｅ、端子１１ｆ、端子１３ｃ、および端子１３ｄは、未使用の端子である。
【００５７】
モジュラージャック１１には、接続ケーブル２１によって電話回線が接続され、モジュラージャック１２には、接続ケーブル２２によって電話機２が接続され、モジュラージャック１３には、接続ケーブル２３によってターミナルＢＯＸ一体型ドアホン親機３が接続される。
【００５８】
このように、モジュラージャック１１つまり第１の接続部の６つの端子のうち２つの端子が、モジュラージャック１２つまり第２の接続部の６つの端子のうちの２つの端子にそれぞれ電気の導体で接続され、さらにモジュラージャック１２つまり第２の接続部の６つの端子のうちの残りの４つの端子が、モジュラージャック１３つまり第３の接続部の６つの端子のうちの４つの端子にそれぞれ電気の導体で接続されるので、電話回線を第１の接続部に接続し、電話機２を第２の接続部に接続し、さらにターミナルＢＯＸ一体型ドアホン親機３つまりターミナル装置を第３の接続部に接続すれば、ターミナル装置を経由しないで、電話回線を電話機２に接続することができる。
【００５９】
すなわち、スプリッタ装置１つまり接続装置を電話機２のそばに設置すれば、部屋間での電話回線の往復をなくすことができ、部屋間をまたがるケーブルを、電話機２あるいはファクシミリ装置とターミナル装置とを接続するための６芯のケーブル１本にすることができる。したがって、装置間の配線を単純化することができ、配線作業を容易にすることができる。
【００６０】
さらに、モジュラージャック１１つまり第１の接続部の６つの端子のうちの中央の２つの端子と、モジュラージャック１２つまり第２の接続部の６つの端子のうちの中央の２つの端子とを接続し、モジュラージャック１２つまり第２の接続部の６つの端子のうちの中央の２つを除く４つの端子と、モジュラージャック１３つまり第３の接続部の６つの端子のうちの中央の２つを除く４つの端子とを接続するので、電話用の端子の位置とドアホン用の端子の位置を分けることができる。したがって、モジュラープラグを対応するモジュラージャックでないモジュラージャックに挿入しても電話用の信号とドアホン用の信号とが接続されることを防止することができる。
【００６１】
さらにまた、モジュラージャック１１〜モジュラージャック１３がＲＪ−１１の６極モジュラージャックであるので、汎用の６芯のケーブルによって接続することができる。したがって、安価なケーブルを使用ことができ、コストを低減することができる。
【００６２】
図３は、図２に示したスプリッタ装置１の外観の一例を示す。スプリッタ装置１は筐体１０を含み、たとえば筐体１０の１面に、モジュラープラグを着脱できるように、モジュラージャック１１およびモジュラージャック１３が把持されており、反対面に、モジュラープラグを着脱できるように、モジュラージャック１２が把持されている。
【００６３】
図４は、図１に示したスプリッタ装置１に係る接続構成の他の例を示す。電話機２、およびモジュラージャック４、ならびにこれらとターミナルＢＯＸ一体型ドアホン親機３との接続は、図１に示したものと同じであり、重複する説明は省略する。
【００６４】
ターミナルＢＯＸ一体型ドアホン親機３は、図１に示したＴＶドアホン５の他に、ＴＶドアホン４１、音声ドアホン４２、火災検知器４３、およびドアセンサ４４が接続されている。ターミナルＢＯＸ一体型ドアホン親機３に接続される機器は、これらに限定されるものではない。ＴＶドアホン４１は、ＴＶドアホン５と同じ種類のＴＶドアホンであり、説明は省略する。
【００６５】
音声ドアホン４２は、ＴＶドアホン５からテレビカメラを除いたドアホンであり、音のみによる通話を行うことができる。ＴＶドアホン４１および音声ドアホン４２は、いずれも接続ケーブル３０と同じ種類の接続ケーブルによって、ターミナルＢＯＸ一体型ドアホン親機３と接続される。
【００６６】
火災検知器４３は、たとえば宅内に設置される火災検知器であり、火災を検知すると、検知したことをターミナルＢＯＸ一体型ドアホン親機３に通知する。ドアセンサ４４は、玄関あるいは勝手口などのドアが不正に開けられたことを検知するドアセンサであり、ドアが不正に開けられたことを検知すると、検知したことをターミナルＢＯＸ一体型ドアホン親機３に通知する。
【００６７】
ターミナルＢＯＸ一体型ドアホン親機３から電話機２への接続ケーブル２３は、４つの芯線を用いているので、ターミナルＢＯＸ一体型ドアホン親機３に接続された機器のうち、２つの機器と情報の送受信を行うことができる。接続ケーブル２２および接続ケーブル２３の芯線の数を増やすことによって、情報を送受信することができる機器の数を増やすことができる。
【００６８】
図５は、本発明の実施の他の形態であるスプリッタ装置５０を示す。図５（ａ）は、スプリッタ装置５０の外観を示す。スプリッタ装置５０は、スプリッタＢＯＸ５１、ケーブル５２、およびモジュラープラグ５３を含む。
【００６９】
スプリッタＢＯＸ５１は、スプリッタ装置５０の筐体であり、後述する２つのモジュラージャックを含む。スプリッタＢＯＸ５１には、６芯のケーブル５２の一端が接続され、ケーブル５２の他端にモジュラープラグ５３が取り付けられている。
【００７０】
モジュラープラグ５３は、モジュラージャックに着脱可能な６極モジュラープラグであり、ターミナルＢＯＸ一体型ドアホン親機３のモジュラージャックに接続される。モジュラープラグ５３の６つの端子のうちの４つの端子が、ケーブル５２の６つの芯線のうちの４つの芯線にそれぞれ接続されている。
【００７１】
図５（ｂ）は、スプリッタＢＯＸ５１の内部の配線を示す。スプリッタＢＯＸ５１は、モジュラージャック５４およびモジュラージャック５５を含む。モジュラージャック５４およびモジュラージャック５５は、たとえばＲＪ−１１などの６極モジュラージャックである。モジュラージャック５４の６つの端子のうちの２つの端子が、モジュラージャック５５の６つの端子のうちの２つの端子にそれぞれ電気の導体、たとえば導線によって接続される。モジュラージャック５５の６つの端子のうちの残りの４つの端子は、ケーブル５２の６つの芯線のうち、ケーブル５２の一端でモジュラープラグ５３に接続された４つの芯線の他端にそれぞれ接続される。
【００７２】
モジュラージャック５４は、図１に示した接続ケーブル２１によって電話回線に接続され、モジュラージャック５５は、図１に示した接続ケーブル２２によって電話機２に接続される。
【００７３】
このように、モジュラージャック５４つまり第１の接続部の６つの端子のうちの２つの端子が、モジュラージャック５５つまり第２の接続部の６つの端子のうちの２つの端子にそれぞれ電気の導体によって接続され、かつ第２の接続部の残りの４つの端子が、６つの端子を有するモジュラープラグ５３つまり第３の接続部を一端に有するケーブル５２の６つの芯線のうちの４つの芯線の他端にそれぞれ接続されるので、電話回線を第１の接続部に接続し、電話機を第２の接続部に接続し、さらにターミナルＢＯＸ一体型ドアホン親機３つまりターミナル装置を第３の接続部に接続すれば、ターミナル装置を経由しないで、電話回線を電話機に接続することができる。
【００７４】
すなわち、スプリッタＢＯＸ５１つまり接続装置の筐体を電話機２のそばに設置すれば、部屋間での電話回線の往復をなくすことができ、部屋間をまたがるケーブルを、電話機２あるいはファクシミリ装置とターミナル装置とを接続するための６芯のケーブル１本にすることができる。したがって、装置間の配線を単純化することができ、配線作業を容易にすることができる。
【００７５】
さらに、図２に示したスプリッタ装置１のモジュラージャック１３を、一端にモジュラープラグ５３を有するケーブル５２に置き換えているので、ターミナル装置に接続するためのケーブルをスプリッタ装置５０に含めることができる。したがって、ユーザはスプリッタ装置５０つまり接続装置とターミナル装置とを接続するためのケーブルを用意しなくてもよい。
【００７６】
図６は、本発明の実施のさらに他の形態であるスプリッタ装置６０を示す。図６（ａ）は、スプリッタ装置６０の外観を示す。スプリッタ装置６０は、スプリッタＢＯＸ６１、ケーブル６２、ケーブル６３、モジュラープラグ６４、およびモジュラープラグ６５を含む。
【００７７】
スプリッタＢＯＸ６１は、スプリッタ装置６０の筐体であり、後述する１つのモジュラージャックを含む。スプリッタＢＯＸ６１には、６芯のケーブル６２の一端および６芯のケーブル６３の一端が接続され、ケーブル６２の他端にモジュラープラグ６４が取り付けられ、ケーブル６３の他端にモジュラープラグ６５が取り付けられている。
【００７８】
モジュラープラグ６４およびモジュラープラグ６５は、モジュラージャックに着脱可能な６極モジュラープラグである。モジュラープラグ６４は、電話機２のモジュラージャックに接続され、モジュラープラグ６５は、ターミナルＢＯＸ一体型ドアホン親機３のモジュラージャックに接続される。
【００７９】
モジュラープラグ６４の６つの端子が、ケーブル６２の６つの芯線にそれぞれ接続され、モジュラープラグ６５の６つの端子のうちの４つの端子が、ケーブル６３の６つの芯線のうち４つの芯線にそれぞれ接続される。
【００８０】
図６（ｂ）は、スプリッタＢＯＸ６１の内部の配線を示す。スプリッタＢＯＸ６１は、モジュラージャック６６を含む。モジュラージャック６６は、たとえばＲＪ−１１などの６極モジュラージャックである。モジュラージャック６６の６つの端子のうちの２つの端子は、ケーブル６２の６つの芯線のうち、ケーブル６２の一端でモジュラープラグ６４に接続された２つの芯線の他端にそれぞれ接続される。ケーブル６２の６つの芯線のうちの残りの４つの芯線は、ケーブル６３の６つの芯線のうち、ケーブル６３の一端でモジュラープラグ６５に接続された４つの芯線の他端にそれぞれ接続される。モジュラージャック６６は、図１に示した接続ケーブル２１によって電話回線に接続される。
【００８１】
このように、モジュラージャック６６つまり第１の接続部の６つの端子のうちの２つの端子が、６つの端子を有するモジュラープラグ６４つまり第２の接続部を一端に有するケーブル６２つまり第１のケーブルの６つの芯線のうちの２つの芯線の他端にそれぞれ接続され、ケーブル６２の６つの芯線のうちの残りの４つの芯線が、６つの端子を有するモジュラープラグ６５つまり第３の接続部を一端に有するケーブル６３つまり第２のケーブルの６つの芯線のうちの４つの芯線の他端にそれぞれ接続されるので、電話回線を第１の接続部に接続し、電話機２を第２の接続部に接続し、さらにターミナルＢＯＸ一体型ドアホン親機３つまりターミナル装置を第３の接続部に接続すれば、ターミナル装置を経由しないで、電話回線を電話機２に接続することができる。
【００８２】
すなわち、スプリッタＢＯＸ６１つまり接続装置の筐体を電話機２のそばに設置すれば、部屋間での電話回線の往復をなくすことができ、部屋間をまたがるケーブルを、電話機あるいはファクシミリ装置とターミナル装置とを接続するための６芯のケーブル１本にすることができる。したがって、装置間の配線を単純化することができ、配線作業を容易にすることができる。
【００８３】
さらに、図２に示したスプリッタ装置１のモジュラージャック１２およびモジュラージャック１３を、それぞれ一端にモジュラープラグ６４を有するケーブル６２および一端にモジュラープラグ６５を有するケーブル６３に置き換えているので、電話機２に接続するための第１のケーブルおよびターミナル装置に接続するための第２のケーブルをスプリッタ装置６０に含めることができる。したがって、ユーザは、スプリッタ装置６０つまり接続装置と電話機あるいはファクシミリ装置とを接続するためのケーブルおよび接続装置とターミナル装置とを接続するためのケーブルを用意しなくてもよい。
【００８４】
上述した実施のいずれの形態でも、スプリッタ装置を、電話機２とは独立した装置として構成したが、たとえばスプリッタ装置１を電話機２に組み込んでもよい。具体的には、図２に示したモジュラージャック１１およびモジュラージャック１３を電話機２の接続部に設ける。電話機２は、モジュラージャック１１の端子１１ｃおよび端子１１ｄを内部の電話回線用の信号線に接続し、さらにモジュラージャック１３の端子１３ａおよび端子１３ｆの組を、１つのドアホン用の内部の信号線に接続し、モジュラージャック１３の端子１３ｂおよび端子１３ｅの組を、他のドアホン用の内部の信号線に接続する。
【００８５】
このように、スプリッタ装置１を電話機２の中に組み込むので、スプリッタ装置と電話機とを接続するケーブルが不要になる。したがって、ユーザは、電話回線に接続された電話機を、ターミナルＢＯＸ一体型ドアホン親機３つまりターミナル装置と接続するだけで、ドアホンなどの機器と通話することができる。
【００８６】
上述した実施のいずれの形態でも、モジュラージャックとして６極モジュラージャックを用いたが、８極モジュラージャック、たとえばＲＪ−４５のモジュラージャック、あるいはさらに極数の多いモジュラージャックを用いてもよい。８極モジュラージャックを用いる場合、接続ケーブルは、６芯のモジュラーケーブルに代えて８芯のモジュラーケーブルを用い、モジュラープラグは、６極モジュラープラグに代えて８極モジュラープラグを用いる。
【００８７】
具体的には、たとえば図２に示したスプリッタ装置１の３つのモジュラージャックを８極モジュラージャックに置き換えた場合、第１のモジュラージャックの８つの端子のうちの２つの端子を、第２のモジュラージャックの８つの端子のうちの２つの端子にそれぞれ電気の導体たとえば導線で接続し、さらに第２のモジュラージャックの８つの端子のうちの残りの６つの端子を、第３のモジュラージャックの８つの端子のうちの６つの端子にそれぞれ導線で接続する。
【００８８】
このように、第１のモジュラージャックつまり第１の接続部の８つの端子のうちの２つの端子が、第２のモジュラージャックつまり第２の接続部の８つの端子のうちの２つの端子にそれぞれ電気の導体で接続され、さらに第２のモジュラージャックつまり第２の接続部の８つの端子のうちの残りの６つの端子が、第３のモジュラージャックつまり第３の接続部の８つの端子のうちの６つの端子にそれぞれ導線で接続されるので、電話回線を第１の接続部に接続し、電話機２を第２の接続部に接続し、さらにターミナルＢＯＸ一体型ドアホン親機３つまりターミナル装置を第３の接続部に接続すれば、ターミナル装置を経由しないで、電話回線を電話機２に接続することができる。
【００８９】
すなわち、スプリッタ装置１つまり接続装置を電話機２のそばに設置すれば、部屋間での電話回線の往復をなくすことができ、部屋間をまたがるケーブルを、電話機あるいはファクシミリ装置とターミナル装置とを接続するための８芯のケーブル１本にすることができる。したがって、装置間の配線を単純化することができ、配線作業を容易にすることができる。
【００９０】
さらに、第１の接続部の８つの端子のうちの中央の２つの端子と、第２の接続部の８つの端子のうちの中央の２つの端子とを接続し、第２の接続部の８つの端子のうちの中央の２つを除く６つの端子と、第３の接続部の８つの端子のうちの中央の２つを除く６つの端子とを接続するので、電話用の端子の位置とドアホン用の端子の位置を分けることができる。したがって、電話用の端子の位置とドアホン用の端子の位置を分けることができるので、モジュラープラグを対応するモジュラージャックでないモジュラージャックに挿入しても電話用の信号とドアホン用の信号とが接続されることを防止することができる。
【００９１】
同様に、図５に示したスプリッタ装置５０および図６に示したスプリッタ装置６０のモジュラージャックを８極モジュラージャックに置き換えることができる。
【００９２】
具体的には、スプリッタ装置５０のモジュラージャック５４およびモジュラージャック５５を８極モジュラージャックに、ケーブル５２を８つの芯線のケーブルに、ならびにモジュラープラグ５３を８極モジュラープラグに置き換える。モジュラージャック５４の８つの端子のうちの中央の２つの端子は、モジュラージャック５５の８つの端子のうちの中央の２つの端子にそれぞれ電気の導体によって接続され、かつモジュラージャック５５の残りの６つの端子は、８つの端子を有するモジュラープラグ５３を一端に有するケーブル５２の８つの芯線のうちの６つの芯線の他端にそれぞれ接続される。モジュラージャック５４およびモジュラージャック５５の８つの端子のうちの中央の２つの端子を電話回線用に用いる。
【００９３】
このように、モジュラージャック５４つまり第１の接続部の８つの端子のうちの２つの端子が、モジュラージャック５５つまり第２の接続部の８つの端子のうちの２つの端子にそれぞれ電気の導体によって接続され、かつ第２の接続部の残りの６つの端子が、８つの端子を有するモジュラープラグ５３つまり第３の接続部を一端に有するケーブル５２の８つの芯線のうちの６つの芯線の他端にそれぞれ接続されるので、電話回線を第１の接続部に接続し、電話機を第２の接続部に接続し、さらにターミナルＢＯＸ一体型ドアホン親機３つまりターミナル装置を第３の接続部に接続すれば、ターミナル装置を経由しないで、電話回線を電話機に接続することができる。
【００９４】
すなわち、スプリッタＢＯＸ５１つまり接続装置の筐体を電話機２のそばに設置すれば、部屋間での電話回線の往復をなくすことができ、部屋間をまたがるケーブルを、電話機２あるいはファクシミリ装置とターミナル装置とを接続するための８芯のケーブル１本にすることができる。したがって、装置間の配線を単純化することができ、配線作業を容易にすることができる。さらに、一端に第３の接続部を有するケーブルを含むので、ユーザは接続装置とターミナル装置とを接続するためのケーブルを用意しなくてもよい。
【００９５】
さらに、スプリッタ装置６０のモジュラージャック６６を８極モジュラージャックに、ケーブル６２およびケーブル６３を８つの芯線のケーブルに、ならびにモジュラープラグ６４およびモジュラープラグ６５を８極モジュラープラグに置き換える。モジュラージャック６６の８つの端子のうちの中央の２つの端子は、８つの端子を有するモジュラープラグ６４を一端に有するケーブル６２の８つの芯線のうちの２つの芯線の他端にそれぞれ接続され、ケーブル６２の８つの芯線のうちの残りの６つの芯線は、８つの端子を有するモジュラープラグ６５を一端に有するケーブル６３の８つの芯線のうちの６つの芯線の他端にそれぞれ接続される。モジュラージャック６６の８つの端子のうちの中央の２つの端子を電話回線用に用いる。
【００９６】
このように、モジュラージャック６６つまり第１の接続部の８つの端子のうちの２つの端子が、８つの端子を有するモジュラープラグ６４つまり第２の接続部を一端に有するケーブル６２つまり第１のケーブルの８つの芯線のうちの２つの芯線の他端にそれぞれ接続され、ケーブル６２の８つの芯線のうちの残りの６つの芯線が、８つの端子を有するモジュラープラグ６５つまり第３の接続部を一端に有するケーブル６３つまり第２のケーブルの８つの芯線のうちの６つの芯線の他端にそれぞれ接続されるので、電話回線を第１の接続部に接続し、電話機２を第２の接続部に接続し、さらにターミナルＢＯＸ一体型ドアホン親機３つまりターミナル装置を第３の接続部に接続すれば、ターミナル装置を経由しないで、電話回線を電話機２に接続することができる。
【００９７】
すなわち、スプリッタＢＯＸ６１つまり接続装置の筐体を電話機２のそばに設置すれば、部屋間での電話回線の往復をなくすことができ、部屋間をまたがるケーブルを、電話機あるいはファクシミリ装置とターミナル装置とを接続するための８芯のケーブル１本にすることができる。したがって、装置間の配線を単純化することができ、配線作業を容易にすることができる。さらに、一端に第２の接続部を有する第１のケーブルおよび一端に第３の接続部を有する第２のケーブルを含むので、ユーザは、接続装置と電話機あるいはファクシミリ装置とを接続するためのケーブルおよび接続装置とターミナル装置とを接続するためのケーブルを用意しなくてもよい。
【００９８】
上述したように、８つの端子を有するモジュラージャックを用いるので、電話機２は、ターミナル装置を介して３つの機器と通話することができる。したがって、通話することができる機器の数を、６つの端子を有するモジュラージャックを用いる場合よりも１つ増やすことができる。
【００９９】
さらに、モジュラージャックがＲＪ−４５の８極モジュラージャックであるので、汎用の８芯のケーブルによって接続することができる。したがって、安価なケーブルを使用ことができ、コストを低減することができる。
【図面の簡単な説明】
【０１００】
【図１】本発明の実施の一形態であるスプリッタ装置１に係る接続構成の一例を示す。
【図２】図１に示したスプリッタ装置１の内部の配線を示す。
【図３】図２に示したスプリッタ装置１の外観の一例を示す。
【図４】図１に示したスプリッタ装置１に係る接続構成の他の例を示す。
【図５】本発明の実施の他の形態であるスプリッタ装置５０を示す。
【図６】本発明の実施のさらに他の形態であるスプリッタ装置６０を示す。
【図７】電話機８１とＴＶドアホン８２との第１の従来の技術による接続構成を示す。
【符号の説明】
【０１０１】
１，５０，６０  スプリッタ装置
２，８１  電話機
３，８６  ターミナルＢＯＸ一体型ドアホン親機
４，１１〜１３，５４，５５，６６，８５  モジュラージャック
５，４１，８２  ＴＶドアホン
７，８４  ＴＶドアホン親機
１０  筐体
２１〜２５，３０，３１，９１〜９４  接続ケーブル
４２ 音声ドアホン
４３  火災検知器
４４  ドアセンサ
５１，６１  スプリッタＢＯＸ
５２，６２，６３  ケーブル
５３，６４，６５  モジュラープラグ
８３  ターミナルＢＯＸ
【図１】
2007194145.tif 000003
【図２】
2007194145.tif 000004
【図３】
2007194145.tif 000005
【図４】
2007194145.tif 000006
【図５】
2007194145.tif 000007
【図６】
2007194145.tif 000008
【図７】
2007194145.tif 000009